(57)【要約】【課題】  ノイズによる調律の誤判定を低減できる調律装置を提供することを課題とする。【解決手段】  楽器の音や楽音信号などの基本周波数と比較の基準となる基準周波数との偏差を測定し、その偏差を表示する表示部を備えた調律器において、調律する楽器の音や楽音信号を入力する入力手段と、調律対象のフィルタの情報を複数種類に対して記憶している変換情報記憶部と、前記変換情報記憶部の中から任意のフィルタの情報を抽出する制御手段と、前記制御手段の信号を受け前記入力手段の信号を任意の周波数帯域の信号に変換する変換手段を有することで、調律する楽器の音の他に周囲のノイズが混入したとしても、目標とする音階や音名の信号成分に濾過し、その信号からピッチを抽出することで調律の誤動作を低減できる。【選択図】  図１
2005258286.tif 000002
【特許請求の範囲】
【請求項１】
楽器の音や楽音信号などの基本周波数と比較の基準となる基準周波数との偏差を測定し、その偏差を表示する表示部を備えた調律器において、
調律する楽器の音や楽音信号を入力する入力手段と、
調律対象のフィルタの情報を複数種類に対して記憶している変換情報記憶部と、
前記変換情報記憶部の中から任意のフィルタの情報を抽出する制御手段と、
前記制御手段の信号を受け前記入力手段の信号を任意の周波数帯域の信号に変換する変換手段を有することを特徴とした調律装置。
【請求項２】
請求項１記載の変換情報記憶部には、任意のフィルタの情報として少なくとも２種類以上を記憶していることを特徴とした調律装置。
【請求項３】
前記変換手段は、任意の周波数帯域に変更できる可変フィルタを有することを特徴とした請求項１記載の調律装置。
【請求項４】
請求項３記載の可変フィルタは、スイッチドキャパシタフィルタからなることを特徴とした調律装置。
【請求項５】
請求項３記載の可変フィルタは、時分割処理によるデジタルフィルタからなることを特徴とした調律装置。
【請求項６】
請求項３記載の可変フィルタは、バンドパスフィルタを有していることを特徴とした調律装置。
【請求項７】
楽器の音や楽音信号などの基本周波数と比較の基準となる基準周波数との偏差を測定し、その偏差を表示する表示部を備えた調律器において、
外部から信号を受けるための設定部と、
調律する楽器の音や楽音信号を入力する入力手段と、
調律対象のフィルタの情報を複数種類に対して記憶している変換情報記憶部と、
前記設定部の信号を受け前記変換情報記憶部の中から所望のフィルタの情報を抽出する制御手段と、
前記制御手段の信号を受け前記入力手段の信号を任意の周波数帯域の信号に変換する変換手段を有することを特徴とした調律装置。
【請求項８】
楽器の音や楽音信号などの基本周波数と比較の基準となる基準周波数との偏差を測定するための調律方法であって、
上記楽器の音や楽音信号を受け、第一のピッチを抽出する第一ピッチ抽出ステップと、
抽出した第一のピッチから第一の楽音を検索する第一楽音検索ステップと、
上記第一の楽音の検索などに基づき、調律対象のフィルタの情報を複数種類に対して記憶している変換情報記憶部から所望のフィルタの情報を取得して、入力信号を任意の周波数帯域の信号に変換するフィルタを設定する第一のフィルタ設定ステップと、
上記楽器の音や楽音信号を受け、第二のピッチを抽出する第二ピッチ抽出ステップと、
上記抽出した第二のピッチから第二の楽音を検索する第二楽音検索ステップと、
上記第二のピッチを基に調律の動作が、不安定かどうかを確認する動作確認ステップと、
上記調律の動作が不安定ならば上記第二の楽音の検索などに基づき、上記変換情報記憶部から所望のフィルタの情報を取得して、入力信号を任意の周波数帯域の信号に変換するフィルタを設定する第二のフィルタ設定ステップと、
を含むことを特徴とする調律方法。
【請求項９】
楽器の音や楽音信号などの基本周波数と比較の基準となる基準周波数との偏差を測定するための調律方法であって、
外部からの情報を取り込む外部情報取込ステップと、
上記の外部から取り込んだ情報に基づき、調律対象のフィルタの情報を複数種類に対して記憶している変換情報記憶部から所望のフィルタの情報を取得して、入力信号を任意の周波数帯域の信号に変換するフィルタを設定するフィルタ設定ステップと、
上記楽器の音や楽音信号を受け、ピッチを抽出するピッチ抽出ステップと、
上記抽出したピッチから楽音を検索する楽音検索ステップと、
を含むことを特徴とする調律方法。
【請求項１０】
上記調律装置の変換情報記憶部と制御手段とは、マイクロコンピュ−タで構成されることを特徴とした請求項１記載の調律装置。
【請求項１１】
上記調律装置の表示部は、液晶表示素子で構成されていることを特徴とした請求項１記載の調律装置。
【請求項１２】
上記調律装置の表示部は、ＬＥＤ素子で構成されていることを特徴とした請求項１記載の調律装置。
【請求項１３】
上記調律装置の設定部は、スイッチの開閉によりスイッチ信号を発生することを特徴とした請求項７記載の調律装置。
【請求項１４】
上記調律装置は、携帯型バッテリ−を電源とした請求項１記載の調律装置。
【発明の詳細な説明】
【技術分野】
【０００１】
本発明は、楽器の音や楽音信号の基本周波数と比較の基準となる基準周波数との偏差を測定し、その偏差を表示する調律装置に関する。
【背景技術】
【０００２】
一般的に、知られているのは、抵抗やコンデンサで構成されるパッシブフィルタやオペアンプで構成されるアクティブフィルタなどにより、楽器の音や楽音信号に対して調律可能とする範囲（低い音名から高い音名）以外の高調波成分やノイズなど不要成分を、ある程度除去することが知られている。
【特許文献１】特開平９−６３４１号公報（第４頁、図１）
【発明の開示】
【発明が解決しようとする課題】
【０００３】
従来の調律装置は、調律可能とする範囲（低い音から高い音までの音域）以外の高調波成分やノイズを除去する目的とした固定のフィルタであったため、調律する楽器の音以外の調律可能とする範囲内に納まる不要音に対しては、フィルタの効果が得られなかった。この現象として、例えばブラスバンドなどの周囲に多くの楽器が存在する環境においてでの調律が掲げられる。このような環境下では周囲の楽音の影響を受け易く、調律する楽器音に対しての調律装置の反応が誤判定を頻発していた。
【０００４】
また、周囲の楽音の影響を受けないように圧電ピックアップを楽器に装着し、圧電ピックアップの出力を入力することで調律する方法もある。しかし、この圧電ピックアップは、調律する楽音のみならず、近くの金管楽器など大音量を発する楽器の音を伝導ノイズとして拾うことがあり、調律装置の誤判定の要因となっていた。
【０００５】
また、大正琴や学校の授業に於いては、一つの机に複数の演奏者が並んで演奏する場面が多い。このような場面での調律では前記の伝導ノイズや振動音による誤判定が顕著に現れてくる。
【０００６】
本発明はこのような事情に鑑み、ノイズによる調律の誤判定を低減できる調律装置を提供することを課題とする。
【課題を解決するための手段】
【０００７】
外部から入力した信号を所望の周波数帯域内の信号に変換する変換手段があり、調律をする音階や音名の周波数に好適なフィルタとしたパラメータを記憶している変換情報記憶部があり、前記変換情報記憶部の中から所望の変換情報に基づいて変換手段を制御する制御手段とを有することで、調律する楽器の音の他に周囲のノイズが混入していても、目標とする音階や音名の信号成分に近づけた濾過を得ることができ、その信号からピッチを抽出することで調律の誤動作を低減するようにしたものである。
【０００８】
これは、調律する音階や音名の範囲で、楽器の調律に影響を与え難くすることで、騒々しい環境下であっても迅速にそして確実に調律が行なえられるようにしたことを特徴としている。また、複数の楽器を所有しているユ−ザ−ならば、外部から入力手段を介して調律する楽器や、弦楽器の弦などの選択したモードに合わせた周波数帯域に変換手段を設定し、その楽器の音域にスポットを当てた調律動作により周囲からのノイズの影響を受け難い正確な調律が行なえられるようにしたことを特徴としている。
【０００９】
さらにこの発明では、外部から入力手段を介し、楽器の音域からさらに狭まった範囲として調律したいクロマチックの音名を選択することにより、選択された音名に合わせた周波数帯域に変換手段を設定することにより、外部からのノイズの影響を受け難いさらに正確な調律が行なえられるようにしたことも特徴としている。
【発明の効果】
【００１０】
本発明の調律装置では、入力した楽器音の音階や音名の信号成分に対して好適な濾過を得ることができ、更にはその作用を繰り返すことにより自動追従で最適なフィルタの処理とともに、周囲の雑音の影響を低減する作用を伴う。このような作用の楽器音の信号から、ピッチを抽出することで周囲のノイズが多い環境下であっても調律の誤動作を低減するという効果がある。
【００１１】
また、外部から設定部を介し、例えば、調律の対象の楽器或いはクロマチック音名など所望の設定を行なうことで、設定された音域に対し最適なフィルタの処理を行なう。これにより、入力した楽音に対し周囲の雑音の影響を低減する作用を伴う。このような作用の楽音から、ピッチを抽出することで調律の誤動作を低減するようにしたものであり、周囲に多くの楽器が存在し雑音の影響を受け易い環境下であっても正確な調律が行なえるという効果がある。
【発明を実施するための最良の形態】
【００１２】
【実施例】
【００１３】
この発明に係る調律装置の実施例を、図面を参照しながら詳細に説明する。
【００１４】
図1は、本発明を適用した調律装置の構成を示すブロック図であり、この調律装置の全体の動作をマイクロコンピュータ２により制御するように構成されている。マイクロコンピュータには、調律装置全体の動作制御のプログラムなどが格納されたリード・オンリー・メモリや、プログラムを実行する際に必要なワーキング・エリアとしてのランダム・アクセス・メモリなどから構成されたメモリ２Ｄがある。
【００１５】
入力手段１である楽音入力部１Aは、楽器の音の電気信号を入力する部材であり、音を電気信号に変換するマイクロフォンや、楽器の電気信号を入力するジャックなどで構成される。増幅器１Ｂは、楽音入力部１Aの電気信号を増幅する低周波増幅器であり、増幅された楽音信号Ｓ１を変換手段３に出力する。
【００１６】
変換手段３は後述するフィルタ回路であり、変換情報記憶部２Ｅに基づく所望のフィルタを通過した周波数帯域の電気信号Ｓ２を、波形整形部４に出力する。変換情報記憶部２Ｅは、後述する図３のテ−ブルに示すようなフィルタの情報を記憶している。波形整形部４は変換手段３の出力信号を受け、波形整形された電気信号Ｓ３（矩形波）をＭＣＵ（マイクロコンピュ−タ）２に出力する。
【００１７】
ピッチ抽出手段であるピッチ抽出部２Ａと、検索手段２Ｂと、セント値算出部２Ｃと、メモリ２Ｄと、変換情報記憶部２Ｅと、制御手段２Ｆは、マイクロコンピュ−タで構成されているのが望ましい。
【００１８】
ピッチ抽出部２Ａは、電気信号Ｓ３に示す、矩形波の立ち上がり或いは立下り毎に時間間隔を計測して電気信号Ｓ２、即ち、楽音信号Ｓ１のピッチ（周期）を抽出する。抽出されたピッチの信号は、検索手段２Ｂに出力される。
【００１９】
検索手段２Ｂは、メモリ２Ｄ内に記憶されているオクターブ（完全８度の音程）や音名（オクターブ内に含まれる１２個の異なる音に付けられた名称）の基準周期デ−タと抽出したピッチの信号とを比較し、抽出したピッチに近い基準周期デ−タからクロマチック（完全８度の音程即ち、１オクタ−ブを１２個の半音階に分けた名称）の音名を算出する。検索手段２Ｂは、算出されたクロマチックの信号をセント値算出部２Ｃと制御手段２Ｆに出力すると共に、ピッチの信号をセント値算出部２Ｃへ出力する。
【００２０】
セント値算出部２Ｃでは、検索手段２Ｂからの検索されたクロマチックの半音の信号を受け、メモリ２Ｄ内に記憶されているクロマチックの各半音の１セント（セントは、クロマチックの半音の、１００分の１程度の音程）に相当する基準デ−タの中から、該当する半音の１セントの基準デ−タを読込む。また、セント値算出部２Ｃは、該当する半音の１セントの基準デ−タと抽出したピッチの信号を基にクロマチックの半音に対するセント値を算出し、制御手段２Ｆへ出力する。
【００２１】
制御手段２Ｆは、検索手段２Ｂとセント値算出部２Ｃなどの出力信号を受け、オクターブや音名およびセント値などの調律情報を表示するための信号を表示部３へ出力する。
【００２２】
表示部３は、針式メータや液晶表示素子、ＬＥＤ素子で表示される。
【００２３】
以上の構成においての調律装置は、電池などの携帯型バッテリーを電源として持ち運びも可能である。
【００２４】
この調律装置の作用を以下に説明する。
【００２５】
変換情報記憶部２Ｅには、複数種類の周波数帯域に対して、例えば図３に示すテーブルのように、楽器の機種やオクターブ及び音名に対する変換の情報とフィルタの情報が記憶されている。
【００２６】
制御手段２Ｆは、検索手段２Ｂからクロマチックの半音の信号を受け、その信号に対応させた図３のテ−ブルに基づき、周波数帯域の情報を変換情報記憶部２Ｅから読み出す。また、制御手段２Ｆは、読み出された情報を変換手段３に出力し、所望の周波数帯域に変換手段３を設定する。
【００２７】
変換手段３の例として、スイッチド・キャパシタ・フィルタが掲げられる。ここでスイッチド・キャパシタとは、アナログスイッチとコンデンサを組み合わせ、クロックパルスでアナログスイッチをオン／オフ制御することにより、可変抵抗などの特性を得る手法である。スイッチド・キャパシタ・フィルタは、この手法を利用した可変フィルタであり、バンドパスやローパスなどの様々な形態のフィルタ特性に対応できる。クロックパルスやフィルタの制御には、マイクロコンピュータが利用されることが多い。また、変換手段３の別の例として、時分割処理としたデジタルフィルタを利用することも可能である。変換手段３がスイッチド・キャパシタ・フィルタの場合は、制御手段２Ｆから周波数帯域の情報と、音域範囲に応じたクロックパルス及び各種フィルタ特性などの情報が出力される。
【００２８】
この所望のフィルタの例として図３を対応させて説明する。
【００２９】
図３は、クロマチックに対するバンドパスフィルタのパラメータの例を示すテーブルである。左端縦軸方向の数値Ａは、オクターブ４の音名Ｃ（000000）を低い音程の始まりとし、高い音程をオクターブ６の音名Ｂ（100011）までの音域範囲の例を示している。数値Ａは、変換情報記憶部２Ｅのアドレスに相当し、その右隣からはデータとしての楽器の種類と、オクターブと、次に音名と、その隣が対応する中心周波数F0が示されている。また、その右隣には図４に示すバンドパスフィルタのパラメータからなるが、Ｆc+は中心周波数にα分増加させたローパスのカットオフ周波数（F0+α）であり、Fc−は中心周波数にα分減算させたハイパスのカットオフ周波数（F0−α）と、スイッチング用クロックパルス（β，γ，δ）となる。実動作では好適なフィルタ係数が代入されると共に、フィルタレスポンス（フィルタの傾きと呼ばれ、図3中右側縦軸のother項などに代入）などが与えられる。このように制御手段２Ｆの信号を受け、変換手段３からは電気信号Ｓ１に比べ、ノイズの減少に伴うピッチ抽出の誤動作がし難い電気信号Ｓ２を波形整形部４に出力する。
【００３０】
これらの一連の動作を、図５及び図６のフローチャートを参照しながら各ステップ毎に説明する。
【００３１】
図５は、本発明の調律装置のメインルーチンである。
【００３２】
図５の初期化ステップＳ１００は、調律装置の起動したときに実行されるルーチンであり、各種のバッファ、レジスタ、パラメータなどを初期化するルーチンであり、変換手段３即ち、フィルタの設定も初期化される。ここで、フィルタの初期化は、調律装置の動作範囲に対しフラットな特性が望ましい。初期化ステップＳ１００を終了すると、第一ピッチ抽出ステップＳ１０１へ進む。
【００３３】
第一ピッチ抽出ステップＳ１０１は、第一のピッチ抽出を行なうルーチンであり、入力した楽音のピッチを抽出すると共に、その楽音のピッチに対してフィルタの初期設定からの調整を行なうことを目的としている。第一ピッチ抽出ステップＳ１０１を終了すると、第一楽音検索ステップＳ１０２へ進む。
【００３４】
第一楽音検索ステップＳ１０２は、第一の楽音検索ルーチンであり、第一ピッチ抽出ステップＳ１０１で抽出したピッチからクロマチックの半音名の検索処理を行なう。ここでは、半音名と共に、セントの算出を実施しても構わない。第一楽音検索ステップＳ１０２の処理を終了すると、第一フィルタ設定ステップＳ１０３へ進む。
【００３５】
第一フィルタ設定ステップＳ１０３は、後に説明するフィルタの設定ルーチンである。ここでは、フィルタの初期化設定（調律範囲に対しフラットな特性）に対して入力した楽音に近い周波数などの好適なフィルタに再設定することが目的であり、処理の終了後は第二ピッチ抽出ステップＳ１０４へ進む。
【００３６】
第二ピッチ抽出ステップＳ１０４は、第二のピッチ抽出を行なうルーチンであり、第一フィルタ設定ステップＳ１０３で改めて設定をし直したフィルタを介し、安定したピッチの抽出を確保するのが目的である。第二ピッチ抽出ステップＳ１０４の処理を終了すると、ステップＳ１０５に進む。
【００３７】
ステップＳ１０５は、第二の楽音検索ルーチンであり、第二ピッチ抽出ステップＳ１０４で抽出したピッチからクロマチックの半音名の検索処理を行なう。ここにおいても、半音名と共に、セントの算出を実施しても構わない。ステップＳ１０５の処理の終了後は、動作確認ステップＳ１０６へ進む。
【００３８】
動作確認ステップＳ１０６は、抽出したピッチと楽音検索の結果を基に、調律の安定性を確認するルーチンである。調律の安定性が不安定の場合は、フィルタの設定を行なうルーチンの第二フィルタ設定ステップＳ１０７へ進む。調律動作が安定であればステップＳ１０８へ進む。
【００３９】
ステップＳ１０８は、表示ルーチンであり、入力した楽音の調律状態を表示部５から表示させる動作を行い、このメインルーチンを終了する。楽音の入力処理毎に、このメインルーチンを繰り返すことで、楽音に対して自動追従したフィルタリング効果が得られ、より安定したピッチの抽出が可能となる。
【００４０】
第一フィルタ設定ステップＳ１０３と第二フィルタ設定ステップＳ１０７は、フィルタの設定を行なうルーチンであり、図６を参照しながら説明する。図６のステップＳ２００は、例えば、図３に示すようなパラメータのテーブルから、取得したピッチや半音名及びフィルタに関する設定情報を得る。ステップＳ２００の処理が終了すると、ステップＳ２０１へ進む。ステップＳ２０１は、フィルタの初期設定からの変更や、調律の不安定に伴うルーチンからの設定変更があるかどうかを確認する。そしてフィルタの設定の一部でも変更がある場合は、ステップＳ２０２に進み、前回と同様で変更がなければ、このルーチンから抜ける。
【００４１】
ステップＳ２０２は、バンドパス、ローパス、ハイパスなどの様々なフィルタの中から、ステップＳ２００で処理されるパラメータにより適切なフィルタに設定するルーチンである。ステップＳ２０２の処理を終了すると、ステップＳ２０３へ進む。
【００４２】
ステップＳ２０３は、バンドパスフィルタかどうかを確認するルーチンである。バンドパスフィルタの場合はステップＳ２０４へ進み、異なる場合はステップＳ２０７へ進む。
【００４３】
ステップＳ２０４は、バンドパスフィルタのハイパス側（低域のカット）の設定を行い処理の終了後、ステップＳ２０５へ進む。
【００４４】
ステップＳ２０５は、バンドパスフィルタのローパス側（高域のカット）の設定を行なう。ステップＳ２０５の処理を終了すると、ステップＳ２０６へ進む。ここで、バンドパスフィルタの設定においてステップＳ２０４とステップＳ２０５のルーチンが逆転する場合もある。
【００４５】
ステップＳ２０７は、ハイパスフィルタかどうかを確認するルーチンである。ハイパスフィルタの場合はステップＳ２０８へ進み、異なる場合はステップＳ２０９へ進む。
【００４６】
ステップＳ２０８はハイパスの設定であり、処理を終了するとステップＳ２０６へ進む。
【００４７】
ステップ２０９は、ローパスフィルタかどうかを確認するルーチンである。ローパスフィルタの場合はステップＳ２１０へ進み、異なる場合はステップＳ２１１へ進む。
【００４８】
ステップＳ２１０は、ローパスフィルタの設定であり、処理を終了するとステップＳ２０６へ進む。
【００４９】
ステップＳ２１１は、例えばバンドエリミネーションフィルタなど、その他に属するフィルタの設定を行なう。
【００５０】
ステップＳ２１１は、処理を終了するとステップＳ２０６へ進む。
【００５１】
ステップＳ２０６は、変換手段３がスイッチド・キャパシタ・フィルタなどの制御用クロックパルスを伴う場合の処理であり、ステップＳ２００で取得した情報からクロックパルスの設定を行なう。
【００５２】
ステップＳ２０６は、処理を終了するとこのルーチンから抜ける。このようにＭＣＵ（マイクロコンピュ−タ）２によって構成される変更情報記憶部２Ｅと、制御手段２Ｆと、前記に説明したピッチ抽出部２Ａと、検索手段２Ｂと、セント値算出部２Ｃと、メモリ２Ｄとの作用は、以上説明したプログラムで実現できる。
【００５３】
次に図２は、第二の実施例を示したブロック図である。ブロック図中、楽音入力部１Ａと、増幅器１Ｂと、変換手段３と、波形整形手段４と、ＭＣＵ（マイクロコンピュ−タ）２と、ピッチ抽出部２Ａと、音名検索部２Ｂと、セント値算出部２Ｃと、記憶部２Ｄと、楽器情報記憶手段２Ｅと、表示部５は、図１のブロック図で説明したものと同じ作用のものでよい。設定部６は、調律する楽器や弦楽器の弦、或いはクロマチックの音名などを外部から選択するための作用を行なう手段であり、例えば、スイッチ部材の開閉によりスイッチ信号を発生するスイッチ回路で構成され、ＭＣＵ（マイクロコンピュ−タ）２の内部の制御手段２Ｆへ出力される。制御手段２Ｆは、設定部６からの信号を受け、その信号に基づくフィルタ情報を変換情報記憶部２Ｅから読出し、変換手段３に出力する。変換手段３は、図１のブロック図で説明した可変フィルタ回路と同じ作用のものであり、制御手段２Ｆの出力信号に基づいた所望のフィルタを構成し、そのフィルタを通過した電気信号Ｓ２を、波形整形部４に出力する。
【００５４】
これらの一連の作用を図７と図８で示すフローチャートで説明する。
【００５５】
図７は、第二の実施例を示したメインルーチンである。図７の初期化ステップＳ３００は、調律装置の起動したときに実行されるルーチンであり、各種のバッファ、レジスタ、パラメータなどを初期化するルーチンである。初期化ステップＳ３００を終了すると、外部情報取込ステップＳ３０１へ進む。
【００５６】
外部情報取込ステップＳ３０１は、設定部６を介して受けた調律する楽器や弦楽器の弦、或いはクロマチックの音名などの情報を取り込むルーチンである。外部情報取込ステップＳ３０１を終了すると、フィルタ設定ステップＳ３０２へ進む。
【００５７】
フィルタ設定ステップＳ３０２は、後に説明するフィルタの設定ルーチンである。処理の終了後はピッチ抽出ステップＳ３０３へ進む。ピッチ抽出ステップＳ３０３は、ピッチの抽出を行なうルーチンであり、処理を終了すると、楽音検索ステップＳ３０４へ進む。
【００５８】
楽音検索ステップＳ３０４は、楽音検索ルーチンであり、ピッチ抽出ステップＳ３０３で抽出したピッチからクロマチックの半音名の検索処理を行なう。ここにおいても、半音名と共に、セントの算出を実施しても構わない。楽音検索ステップＳ３０４の処理の終了後は、ステップＳ３０５へ進む。
【００５９】
ステップＳ３０５は、表示ルーチンであり、入力した楽音の調律状態を表示部５から表示させる動作を行い、このメインルーチンを終了する。
【００６０】
フィルタ設定ステップＳ３０２は、フィルタの設定を行なうルーチンであり、図８を参照しながら説明する。図８のステップＳ４００は、設定部６を介して受けた調律する楽器や弦楽器の弦、或いはクロマチックの音名の情報を、例えば、図３に示すようなパラメータのテーブルから、フィルタに関する設定情報を得る。ステップＳ４００の処理が終了すると、ステップＳ４０１へ進む。
【００６１】
ステップＳ４０１は、フィルタの設定に変更がある場合は、ステップＳ４０２に進み、前回と同様で変更がなければ、このルーチンから抜ける。
【００６２】
ステップＳ４０２は、バンドパス、ローパス、ハイパスなどの様々なフィルタの中から、ステップＳ４００で処理されるパラメータにより適切なフィルタに設定するルーチンである。ステップＳ４０２の処理を終了すると、ステップＳ４０３へ進む。
【００６３】
ステップＳ４０３は、バンドパスフィルタかどうかを確認するルーチンである。バンドパスフィルタの場合はステップＳ４０４へ進み、異なる場合はステップＳ４０７へ進む。
【００６４】
ステップＳ４０４は、バンドパスフィルタのハイパス側（低域のカット）の設定を行い処理の終了後、ステップＳ４０５へ進む。
【００６５】
ステップＳ４０５は、バンドパスフィルタのローパス側（高域のカット）の設定を行なう。ステップＳ４０５の処理を終了すると、ステップＳ４０６へ進む。ここで、バンドパスフィルタの設定においてステップＳ４０４とステップＳ４０５のルーチンが逆転する場合もある。
【００６６】
ステップＳ４０７は、ハイパスフィルタかどうかを確認するルーチンである。ハイパスフィルタの場合はステップＳ４０８へ進み、異なる場合はステップＳ４０９へ進む。
【００６７】
ステップＳ４０８はハイパスの設定であり、処理を終了するとステップＳ４０６へ進む。
【００６８】
ステップ４０９は、ローパスフィルタかどうかを確認するルーチンである。ローパスフィルタの場合はステップＳ４１０へ進み、異なる場合はステップＳ４１１へ進む。
【００６９】
ステップＳ４１０は、ローパスフィルタの設定であり、処理を終了するとステップＳ４０６へ進む。
【００７０】
ステップＳ４１１は、例えばバンドエリミネーションフィルタなど、その他に属するフィルタの設定を行なう。ステップＳ４１１は、処理を終了するとステップＳ４０６へ進む。
【００７１】
ステップ４０６は、変換手段３がスイッチド・キャパシタ・フィルタなどの制御用クロックパルスを伴う場合の処理であり、ステップＳ４００で取得した情報からクロックパルスの設定を行なう。ステップＳ４０６は、処理を終了するとこのルーチンから抜ける。
【００７２】
このようにＭＣＵ（マイクロコンピュ−タ）２によって構成される変更情報記憶部２Ｅと、制御手段２Ｆとの作用は、以上説明したプログラムで実現でき、変換手段３の制御を行なうことで所望のフィルタ効果を得ることができる。
【図面の簡単な説明】
【００７３】
【図１】本発明を適用した調律装置の構成を示すブロック図である。
【図２】第２の実施例を示すブロック図である。
【図３】テ−ブルである。
【図４】フィルタの説明図である。
【図５】メインルーチンのフローチャートである。
【図６】フィルタ設定のフローチャートである。
【図７】第２の実施例のメインルーチンのフローチャートである。
【図８】第２の実施例のフィルタ設定のフローチャートである。
【符号の説明】
【００７４】
１  入力手段
２  ＭＣＵ（マイクロコンピュ−タ）
３  変換手段
４  波形整形手段
５  表示部
６  設定部
１Ａ  楽音入力部
１Ｂ  増幅器
２Ａ  ピッチ抽出手段
２Ｂ  検索手段
２Ｃ  セント値算出部
２Ｄ  メモリ
２Ｅ  変換情報記憶部
２Ｆ  制御手段
Ｓ１  楽音信号
Ｓ２  電気信号Ａ
Ｓ３  電気信号Ｂ
【図１】
2005258286.tif 000003
【図２】
2005258286.tif 000004
【図３】
2005258286.tif 000005
【図４】
2005258286.tif 000006
【図５】
2005258286.tif 000007
【図６】
2005258286.tif 000008
【図７】
2005258286.tif 000009
【図８】
2005258286.tif 000010